(57)【特許請求の範囲】
【請求項１】
所定速度以上でのデータ転送が可能であり、第１の画像データを一時的に記憶する第１の画像データ記憶領域と、前記所定速度以上でのデータ転送が可能であり、第２の画像データを記憶する第２の画像データ記憶領域と、前記所定速度未満のデータを転送することが可能であり、前記第２の画像データのバックアップデータを記憶する第３の記憶領域とを備えるディスク装置と、
前記ディスク装置から前記第１および第２の画像データを抽出し、これらを合成して合成画像データを生成する合成回路と、
入力される第１の画像データのデータ容量が前記第１の画像データ記憶領域を越えた場合に、超えた部分を前記第２の画像データ記憶領域に転送する転送手段と、
前記転送手段により第２の画像データ記憶領域に前記第１の画像データが転送された後、前記第３の記憶領域に記憶された前記バックアップデータに基づいて、前記第２の画像データ記憶領域に前記第２の画像データを復元する復元手段と
を具備することを特徴とする画像処理装置。
【請求項２】
所定速度以上でのデータ転送が可能であり、第１の画像データを一時的に記憶する第１の画像データ記憶領域と、前記所定速度以上でのデータ転送が可能であり、第２の画像データを記憶する第２の画像データ記憶領域と、前記所定速度未満のデータを転送することが可能であり、前記第２の画像データのバックアップデータを記憶する第３の記憶領域とを備えるディスク装置と、
前記ディスク装置から前記第１および第２の画像データを抽出し、これらを合成して合成画像データを生成する合成回路と
を備える画像処理装置の制御方法であって、
入力される第１の画像データのデータ容量が前記第１の画像データ記憶領域を越えた場合に、超えた部分を前記第２の画像データ記憶領域に転送するステップと、
前記第２の画像データ記憶領域に前記第１の画像データが転送された後、前記第３の記憶領域に記憶された前記バックアップデータに基づいて、前記第２の画像データ記憶領域に前記第２の画像データを復元するステップと
を具備することを特徴とする制御方法。
【発明の詳細な説明】
【０００１】
【発明の属する技術分野】
本発明は、ディスク装置に記憶した画像データを処理する画像処理装置およびその制御方法に関する。
【０００２】
【従来の技術】
近年、磁気記憶装置の大容量化、高速化が可能となるに伴って、磁気記憶装置はファクシミリやディジタル複写機等の大容量外部記憶装置として用いられるようになっている。例えば、特開平９−１５２８１４号公報に開示されているように、大容量の磁気記憶装置を用いてソートを行うディジタル複写機がある。磁気記憶装置は半導体メモリと比較するとデータ処理速度が小さいため、上記公報に開示されているように複写機やプリンタのような一定時間に一定量のデータを出力する、つまり一定以上のデータ処理速度が要求されるシステムで磁気記憶装置を使用する場合、要求される処理速度より大きい処理速度を有する磁気記憶装置を用いる必要がある。
【０００３】
ところで、ハードディスクに代表される円筒型の磁気記憶装置は、処理速度の大きい領域（外周側）と、処理速度の小さい領域（内周側）とを有している。特開平９−２３１０１０号公報および特開平６−３２５４９０号公報には、上述のように所定値以上の処理速度が要求されるシステムにおいて、磁気記憶装置を使用する場合に、ハードディスクにおける使用可能な領域、つまり所定値以上の処理速度を有する領域を選択して使用するシステムが開示されている。これらの装置では、処理速度の小さい領域は使用されていなかった。
【０００４】
一方、読み取った原稿に会社のロゴなどの追加画像を合成して出力する複写機等の装置が開発されている。特開平４−２３９２６４号公報には、会社のロゴや文書特性等の追加画像データをフロッピーディスクから読み出すことにより、読み出した追加画像データをスキャナで読み取った画像データに合成して出力する複写機が開示されている。
【０００５】
また、特開平９−１５２８１４号公報に開示されているような電子ソート機能と、特開平４−２３９２６４号公報に開示されているような合成画像形成機能とを備える複写機が提案されている。このような複写機においては、上述した磁気記憶装置に電子ソート用の記憶領域と追加画像データ記憶領域とを設定しておくと、追加画像データを読み取るためにフロッピーディスク装置などの装置を設ける必要がなく構成を簡易とすることができる。
【０００６】
【発明が解決しようとする課題】
上述したような電子ソート機能と、合成画像形成機能とを備える複写機においては、磁気記憶装置に電子ソート用の記憶領域と追加画像データ記憶領域とを設定しておくことが考えられる。このようにすると、追加画像データを読み取るためにフロッピーディスク装置などの装置を設ける必要がなく構成を簡易とすることができる。しかし、上述のように磁気記憶装置に追加画像データを記憶させた場合に、何らかの原因で追加画像データが破壊されたときには、追加画像の原稿を読み取って再度磁気記憶装置に記憶させる必要がある。従って、手元に追加画像の原稿がない場合などには、追加画像データを復元することは困難である。
【０００７】
このように磁気記憶装置に記憶されたデータが破壊された場合に備えて、特開平５−１１９９２６号公報には、同じ磁気記憶装置内の数カ所に同一のデータを記憶させておく方法が開示されているが、追加画像データを磁気記憶装置に無作為、かつ数カ所に記憶させておくことは、他のデータの記憶可能容量を減少させることになる。複写機などの所定レート以上のデータ転送レートが要求されるシステムにおいては、磁気記憶装置における使用可能な領域も限られる場合もあり、データ記憶可能容量の減少は問題となり、上述した電子ソート機能を有する複写機では、電子ソート可能な原稿の枚数を減少させてしまうことになる。
【０００８】
本発明は、上記の事情を考慮してなされたものであり、ディスク装置における所定レート以上のデータ転送レートを有する領域を有効に活用し、かつ所定レート以上のデータ転送レートを有する領域に記憶されたデータが破壊された場合にも、破壊されたデータの復元を容易に行うことができる画像処理装置およびその制御方法を提供することを目的とする。
【０００９】
【課題を解決するための手段】
上記課題を解決するため、本発明に係る画像処理装置は、所定速度以上でのデータ転送が可能であり、第１の画像データを一時的に記憶する第１の画像データ記憶領域と、前記所定速度以上でのデータ転送が可能であり、第２の画像データを記憶する第２の画像データ記憶領域と、前記所定レート未満のデータを転送することが可能であり、前記第２の画像データのバックアップデータを記憶する第３の記憶領域とを備えるディスク装置と、前記記憶装置から前記第１および第２の画像データを抽出し、これらを合成して合成画像データを生成する合成回路と、入力される第１の画像データのデータ容量が前記第１の画像データ記憶領域を越えた場合に、超えた部分を前記第２の画像データ記憶領域に転送する転送手段と、前記転送手段により第２の画像データ記憶領域に前記第１の画像データが転送された後、前記第３の記憶領域に記憶された前記バックアップデータに基づいて、前記第２の画像データ記憶領域に前記第２の画像データを復元する復元手段とを具備することを特徴とする。
【００１７】
この画像処理装置によれば、第１の画像データを一時的に記憶する第１の画像データ記憶領域を有しているので、入力された画像データを一時的に記憶した後に出力する電子ソート出力が可能となっている。また、第２の画像データと第１の画像データを合成して合成画像データを有する合成回路を有しているため、合成画像出力が可能となっている。電子ソート出力を行う場合に、第１の画像データ記憶領域の容量を超える第１の画像データ、つまり電子ソート用のデータが入力されたときには、越えた分を第２の画像データ記憶領域に上書きする。そして、第１の画像データを出力し終えた後、第３の記憶領域に記憶されたバックアップデータに基づいて、復元手段が第２の画像データを復元することができる。これにより、以後の合成画像出力が可能となる。従って、この画像処理装置によれば、ディスク装置の記憶容量を増加を伴わずに、合成画像出力を可能とし、かつ電子ソート用の最大データ記憶容量を減少させることもない。
また、本発明に係る画像処理装置の制御方法は、所定速度以上でのデータ転送が可能であり、第１の画像データを一時的に記憶する第１の画像データ記憶領域と、前記所定速度以上でのデータ転送が可能であり、第２の画像データを記憶する第２の画像データ記憶領域と、前記所定速度未満のデータを転送することが可能であり、前記第２の画像データのバックアップデータを記憶する第３の記憶領域とを備えるディスク装置と、前記ディスク装置から前記第１および第２の画像データを抽出し、これらを合成して合成画像データを生成する合成回路とを備える画像処理装置の制御方法であって、入力される第１の画像データのデータ容量が前記第１の画像データ記憶領域を越えた場合に、超えた部分を前記第２の画像データ記憶領域に転送するステップと、前記第２の画像データ記憶領域に前記第１の画像データが転送された後、前記第３の記憶領域に記憶された前記バックアップデータに基づいて、前記第２の画像データ記憶領域に前記第２の画像データを復元するステップとを具備することを特徴とする。
【００１８】
【発明の実施の形態】
以下、図面を参照して本発明の一実施形態について説明する。
Ａ．ディジタル複写機の構成
まず、図１は本発明の一実施形態に係るディスク制御装置を備えるディジタル複写機の構成を示すブロック図である。同図に示すように、このディジタル複写機は、画像入力装置１と、ビデオデータ切替装置２と、画像出力装置３と、磁気記憶装置（ディスク装置）４と、バッファーメモリ５と、ＣＰＵ（中央処理装置）６と、ＮＶＭ（不揮発性メモリ）７と、ユーザーインターフェース８とを備えている。
【００１９】
画像入力装置１は、スキャナなどの画像読取装置であり、読取対象である原稿を読み取って読取画像データを生成し、この読取画像データをビデオデータ切替装置２に出力する。
【００２０】
図２に示すように、ビデオデータ切替装置２は、画像入力装置１、磁気記憶装置４およびバッファーメモリ５からそれぞれデータが入力される入力端２１，２２，２３を有している。また、ビデオデータ切替装置２は、画像出力装置３、磁気記憶装置４およびバッファーメモリ５にそれぞれデータを出力する出力端２４，２５，２６を有している。
【００２１】
入力端２１に供給された画像データおよび入力端２２に供給された画像データは、各々単独でセレクタ２８のニ入力端に供給されるとともに、合成回路２７を介して合成され、セレクタ２８の他の入力端に供給される。そして、セレクタ２８においては、これら三入力端のうち何れかに供給された画像データが選択され出力される。ここで、入力端２２に供給された画像データは、出力端２６を介してバッファメモリに供給される。このバッファメモリから読出された画像データは入力端２３を介してセレクタ３０の一入力端に供給される。また、セレクタ３０の他入力端には、入力端２１に供給された画像データが供給される。セレクタ３０においては何れかの画像データが選択され、選択された画像データは出力端２５を介して磁気記憶装置４に出力される。
【００２２】
図１に戻り、画像出力装置３は、例えば感光体ドラム等を有する画像形成装置であり、ビデオデータ切替装置２の出力端２４から入力される画像データに基づいて、紙やＯＨＰなどのシートに画像を出力する。
【００２３】
磁気記憶装置４は、ビデオデータ切替装置２と入力端２２、出力端２５（図２参照）を介して接続されており、ビデオデータ切替装置２から入力されるデータを記憶することが可能であり、また記憶したデータをビデオデータ切替装置２に出力することが可能な記憶装置である。
【００２４】
バッファーメモリ５はビデオデータ切替装置２の入力端２３、出力端２６（図２参照）を介して接続されており、これによりビデオデータ切替装置２２から入力されるデータを記憶することが可能であり、また記憶したデータをビデオデータ切替装置２に出力することできるようになっている。ここで、バッファーメモリ５は磁気記憶装置４から一度に読み出しまたは書き込みが可能なデータ量よりも大きな容量のものであり、これによりバッファーメモリ５はビデオデータ切替装置２を介して磁気記憶装置４から入力されるデータを書き込むことが可能となっている。また、バッファーメモリ５から磁気記憶装置４に転送したデータを磁気記憶装置４に書き込むことが可能となっている。
【００２５】
ＣＰＵ６は、バス１０を介して画像入力装置１、ビデオデータ切替装置２、画像出力装置３、磁気記憶装置４、バッファーメモリ５およびＮＶＭ７と、ユーザーインターフェース８と接続されており、これらの各構成要素を制御するものである。ＮＶＭ７はＣＰＵ６によって書き換えが可能な不揮発性のメモリであり、この画像処理装置を制御する基本プログラム等が記憶されている。
【００２６】
図３に示すように、ユーザーインターフェース８は、表示パネル１１１と、数字キーやスタートキーなどの操作キー１１２を有している。使用者は操作キー１１２を押下することにより、複写動作の開始を指示したり、後述する電子ソートにおいて複写する部数などを指定することができる。
【００２７】
Ｂ．動作
Ｂ−１．前提条件
次に、本実施形態に係るディスク制御装置を有するディジタル複写機の動作について説明するが、それに先立ち、本実施形態の前提条件について説明する。なお、この前提条件は１つの例であり、これに限定されるものではない。
【００２８】
本実施形態においては、画像出力装置３は、解像度６００ｄｐｉ（dot per inch）で１分間にＡ４サイズのシートを３０枚程度出力することが可能なものである。このような能力の画像出力装置３では、通常１４Ｍ画素／秒のデータ入力が必要となり、１画素あたり２値（＝１ｂｉｔ）であるとすると、１．７５Ｍバイト／秒のデータ入力が必要となる。画像入力装置１は、上述の画像出力装置３に同期して画像データを出力する必要があり、１．７５Ｍバイト／秒のデータ出力能力を有している。
【００２９】
図４に示すように本実施形態においては、磁気記憶装置４は４つのゾーン（外周から順にゾーン１、ゾーン２、ゾーン３、ゾーン４）を有するディスク装置である。このような円筒型のディスク装置では、外周側のゾーンほど、より大きい持続データ転送レートを有することになる。つまり、各ゾーンの持続データ転送レートは異なっており、このディスク装置では、ゾーン１は２．７Ｍバイト／秒、ゾーン２は２．３Ｍバイト／秒、ゾーン３は１．９Ｍバイト／秒、ゾーン４は１．５Ｍバイト／秒の持続データ転送レートを有するものとする。ここで、持続データ転送レートとは、ラージシーケンシャル・ファイルにおける実質のデータ転送レートを示すものであり、全データ転送量を、トラックおよびシリンダをまたがる際の時間を含めたデータ転送開始から終了までの時間で割った数値である。
【００３０】
図５に示すように、磁気記憶装置４の各ゾーンには、ロジカルブロックアドレス（以下ＬＢＡという）が割り当てられている。本実施形態においては、ゾーン１は００００００００〜０ＦＦＦＦＦＦＦ（１６進法）、ゾーン２は１０００００００〜１ＦＦＦＦＦＦＦ（１６進法）、ゾーン３は２０００００００〜２ＦＦＦＦＦＦＦ（１６進法）、ゾーン４は３０００００００〜３ＦＦＦＦＦＦＦ（１６進法）のＬＢＡが割り当てられている。なお、図中のＸは任意の１６進数を示している。
【００３１】
Ｂ−２．電子ソート
次に、本実施形態に係るディスク制御装置を備えるディジタル複写機の動作について説明する。このディジタル複写機は電子ソート機能、および会社のロゴなどの原稿に合成して画像を出力する合成画像出力機能を有しており、まずこのディジタル複写機における電子ソートの動作について説明する。
【００３２】
まず、電子ソート動作が開始され、１部目を出力するときには、図６に示すようにＣＰＵ６の制御によりビデオデータ切替装置２は、データの入力元が画像入力装置１に、データの出力先が画像出力装置３および磁気記憶装置４になるように接続される。この状態で、画像入力装置１が原稿を読み取ることにより読取画像データを生成し、上述したように１．７５Ｍバイト／秒の送出スピードでビデオデータ切替装置２に読取画像データを出力する。画像入力装置１によりビデオデータ切替装置２に出力された読取画像データはビデオデータ切替装置２から画像出力装置３に入力される。画像出力装置３では、入力された読取画像データに基づいて、シートに順次画像を形成する。
【００３３】
これと同時に、画像入力装置１からビデオデータ切替装置２に出力された読取画像データは、ビデオデータ切替装置２から磁気記憶装置４に出力される。磁気記憶装置４では、入力された読取画像データが外周側のゾーン、つまり最も大きい持続データ転送レートを有するゾーン１のＬＢＡ００００００００から画像入力装置１が読み取った原稿毎に書き込まれる。このとき、図７に示すように、ユーザーインターフェース８の表示パネル１１１には、「電子ソート読み込み中です」、「ページＸＸ枚目」、「残りメモリ容量＝ａ％」が表示されるようになっている。
【００３４】
ここで、Ａ４サイズで６００ｄｐｉの原稿を読み取った場合には、１枚の原稿あたり約４．５Ｍバイトのデータ量となり、原稿の各ページは、図８に示すように磁気記憶装置４の各ゾーンに書き込まれる。上述したように画像入力装置１のデータ送出スピードおよび画像出力装置３に出力するデータ送出スピードは１．７５Ｍバイト／秒であり、磁気記憶装置４におけるゾーン４の持続データ転送レートは１．５Ｍバイト／秒である。このため、画像入力装置１が読み取った原稿の読取画像データを記憶および画像出力装置３にデータを出力することができるのはゾーン１〜３（第１の記憶領域）までであり、ゾーン４（第２の記憶領域）は使用できない。したがって、Ａ４サイズで６００ｄｐｉの原稿を読み取る場合、この磁気記憶装置４に記憶可能な原稿の枚数は１７０枚ということになる。また、上述の表示パネル１１１に表示される残りメモリ容量ａ（％）は、
ａ＝使用メモリ容量／ゾーン１〜３までの記憶可能容量＊１００
で算出され、ゾーン１〜３までの記憶可能容量は２ＦＦＦＦＦＦＦ（１６進法）、つまり８０５３０６３６８バイトである。
【００３５】
上述のように１部目の出力が終わった後、すなわち全ての原稿の読取画像データを磁気記憶装置４に書き込んだ後には、図９に示すように、ＣＰＵ６の制御によりビデオデータ切替装置２は、データの入力元が磁気記憶装置４に、データの出力先が画像出力装置３になるように接続される。そして、磁気記憶装置４に書き込まれた読取画像データがビデオデータ切替装置２を介して画像出力装置３に出力され、これによりシートに順次画像が形成される。３部目以後は、２部目と同様の動作が行われ、使用者に指定された部数まで同様の動作を繰り返す。
【００３６】
Ｂ−３．合成画像出力
次に、このディジタル複写機の合成画像出力時の動作について説明する。ここで、合成画像出力とは、原稿を読み取ってシートに複写する場合に、読み取った原稿の画像に、例えば会社のロゴなどの追加画像を合成することをいう。
【００３７】
Ｂ−３−１．追加画像データの記憶
合成画像出力を行う場合には、合成する追加画像データ、上述の場合は会社のロゴをなどの追加画像データを磁気記憶装置４に記憶させておく必要がある。追加画像データを磁気記憶装置４に記憶させる場合には、図１０に示すように、ＣＰＵ６の制御によりビデオデータ切替装置２は、データの入力元が画像入力装置１に、データの出力先が磁気記憶装置４になるように接続される。
【００３８】
そして、画像入力装置１により生成された追加画像データがビデオデータ切替装置２を介して磁気記憶装置４に出力され、追加画像データが磁気記憶装置４に記憶される。この場合にも、持続データ転送レートが１．７５Ｍバイト／秒以上であることが要求されるため、追加画像データはゾーン１〜３のいずれかに記憶されることになる。なお、追加画像データを記憶させるのは、合成画像形成の直前でなくてもよい。また、複数種類の追加画像データをｌ４に記憶させておいてもよい。この場合、合成画像出力時に、使用者がユーザーインターフェース８を介して追加画像データを選択させればよい。また、他の画像処理装置から追加画像データを入力し、磁気記憶装置４に記憶させるようにしてもよい。
【００３９】
Ｂ−３−２．合成画像出力
追加画像データを磁気記憶装置４に記憶させた後、使用者がユーザーインターフェース８を介して合成画像出力を行うように指示すると、図１１に示すように、ＣＰＵ６の制御によりビデオデータ切替装置２は、データの入力元が画像入力装置１および磁気記憶装置４に、データの出力先が画像出力装置３になるように接続される。この状態で、画像入力装置１から原稿を読み取ることにより生成された読取画像データと、磁気記憶装置４に記憶された追加画像データとが同期してビデオデータ切替装置２に出力され、ビデオデータ切替装置２の合成回路２７により合成されて合成画像データが生成される。そして、この合成画像データが画像出力装置３に出力され、画像出力装置３は合成画像データに基づいてシートに画像を出力する。
【００４０】
Ｂ−４．電子ソート用記憶容量および追加画像データ用記憶容量の設定
上述したように、このディジタル複写機では、電子ソートと合成画像出力の機能とを備えており、電子ソート用の読取画像データ（第１のデータ、第１の画像データ）と、合成画像出力用の追加画像データ（第２のデータ、第２の画像データ）とを１つの磁気記憶装置４に記憶するようになっている。このように１つの磁気記憶装置４に電子ソート用の記憶領域（第１データ記憶領域、第１の画像データ記憶領域）と、追加画像データ用の記憶領域（第２データ記憶領域、第２の画像データ記憶領域）を設けることにより、フロッピーディスクなど他の外部記憶装置を設ける必要がなくなり、構成を簡易とすることができる。
【００４１】
本実施形態に係るディスク制御装置では、磁気記憶装置４における電子ソート用の読取画像データと、合成画像出力用の追加画像データとの記憶可能な容量を、使用者がユーザーインターフェース８を介して設定できるようになっている。例えば、電子ソートの読取画像データの記憶容量を７０％、合成画像出力用の追加画像データを３０％に設定した場合、この設定内容がＮＶＭ７に記憶される。また、図１２に示すように、表示パネル１１１には、図示のように設定した電子ソート用の容量と追加合成用の容量とが表示される。この場合、磁気記憶装置４のゾーン１〜３の領域のうち、２２００００００（１６進法）バイトが電子ソートの読取画像データ用の領域となり、Ｅ０００００（１６進法）バイトが合成画像出力の追加画像データ用の領域となる。このように使用者がユーザーインターフェース８を介して追加画像データ用の記憶領域および電子ソート用記憶領域の容量を設定することが可能であるため、追加画像データ用の記憶領域が不用意に増加し、電子ソート用記憶領域の容量が減少することがなくなる。従って、不用意に電子ソート出力能力、つまり電子ソート出力可能な枚数が減少することがない。
【００４２】
このように磁気記憶装置４における電子ソート用の読取画像データと、合成画像出力用の追加画像データとの記憶可能な容量を設定した後、電子ソート時または追加画像データの記憶時の表示パネル１１１には、磁気記憶装置４における電子ソート用の記憶容量に対する残りメモリ容量が表示され、追加画像データの記憶時には、磁気記憶装置４における合成画像出力用の記憶容量に対する残りメモリ容量が表示されるようになっている。
【００４３】
Ｂ−５．追加画像データのバックアップおよびリカバリー
ところで、上述したように磁気記憶装置４における１．７５Ｍバイト／秒未満の持続データ転送レート、つまり画像出力装置３で必要とされるデータ処理速度より小さいデータ処理速度を有するゾーン４は使用されていなかった。本実施形態に係るディスク制御装置においては、上述した追加画像データのバックアップデータを磁気記憶装置４におけるゾーン４に記憶させるようになっている。
【００４４】
ここで、図１３は、このディジタル複写機において、追加画像データのバックアップおよびリカバリーを行う場合の処理手順を示すフローチャートである。同図に示すように、ステップＳ１３１で、画像入力装置１で生成された追加画像データが磁気記憶装置４におけるゾーン１〜３のいずれかの部分、つまり画像出力装置３にデータを出力することが可能な領域に記憶される。ステップＳ１３２では、ＣＰＵ６は電子ソートや合成画像出力を行っていない適当なタイミングで磁気記憶装置４におけるゾーン４、つまり画像出力装置３から要求される１．７５Ｍバイト／秒未満の持続データ転送レートを有するゾーンにバックアップデータを記憶させる。
【００４５】
この場合、図１４に示すように、ビデオデータ切替装置２は、データの入力元が画像入力装置１およびバッファーメモリ５に、データの出力先がバッファーメモリ５および磁気記憶装置４になるように接続される。このように接続されることにより、ゾーン１〜３のいずれかの部分に記憶された追加画像データがビデオデータ切替装置２を介してバッファーメモリ５に転送される。そして、バッファーメモリ５に転送された追加画像データがビデオデータ切替装置２を介して磁気記憶装置４に再転送される。このとき、再転送された追加画像データは、磁気記憶装置４におけるゾーン４に記憶されるようになっている。このようにして、磁気記憶装置４におけるゾーン１〜３のいずれかの部分に記憶された追加画像データを、磁気記憶装置４におけるゾーン４にバックアップしている。
【００４６】
このように追加画像データのバックアップがなされた後に、ステップＳ１３３で合成画像出力が開始され、ステップＳ１３４で磁気記憶装置４に読出エラーが発生した場合、ステップＳ１３５でＣＰＵ６は画像入力装置１および画像出力装置３を停止させる。この後、ＣＰＵ６の制御によりステップＳ１３６で磁気記憶装置４のゾーン４に記憶されたバックアップデータがビデオデータ切替装置２を介してバッファーメモリ５に転送される。そして、転送されたバックアップデータがバッファーメモリ５からビデオデータ切替装置２を介して磁気記憶装置４に再転送される。このとき、再転送されたバックアップデータは磁気記憶装置４におけるゾーン１〜３、つまり画像出力装置３で要求される１．７５Ｍバイト／秒以上の持続データ転送レートを有するゾーンのいずれかの部分に追加画像データとして記憶される。つまり、ＣＰＵ６はゾーン４に記憶されたバックアップデータに基づいてゾーン１〜３のいずれかの部分に追加画像データを復元する書込手段となっている。そして、ステップＳ１３３に戻り、再び合成画像出力動作を開始する。なお、ステップＳ１３４で磁気記憶装置４の読出エラーが発生しない場合は、通常の合成画像出力動作がなされることになる。
【００４７】
上述したような磁気記憶装置４における追加画像データの読出エラーが発生した場合のリカバリーだけでなく、本実施形態に係るディスク制御装置では、図１５および図１６に示すような処理手順にしたがって、電子ソート時にもリカバリー動作を行うようになっている。この場合、前提条件として、使用者により磁気記憶装置４における電子ソート用記憶容量および追加画像データ用記憶容量が設定されていることが必要となる。
【００４８】
図１５に示すように、ステップＳ１５１で画像入力装置１による原稿の読み取り、画像出力装置３による１部目の画像出力および磁気記憶装置４への読取画像データの記憶がなされる。そして、ステップＳ１５２で画像入力装置１による読取画像データの容量が設定された電子ソート用記憶容量を越えた場合、ステップＳ１５３でＮＶＭ７に磁気記憶装置４における追加画像データ記憶用の領域に上書きをすることを記憶させ、ステップＳ１５４で磁気記憶装置４における追加画像データ記憶用の領域に読取画像データを上書きする。
【００４９】
この後、ステップＳ１５５で画像出力装置３による１部目の画像出力、および磁気記憶装置４への全ての読取画像データの記憶を終了する。そして、図１６に示すようにステップＳ１５６で磁気記憶装置４に記憶させた読取画像データを順次画像出力装置３に出力し、画像出力装置３により画像出力がなされる。
【００５０】
ステップＳ１５７では、使用者に設定された部数分の画像出力を行ったか否かが確認され、設定された部数分に達していない場合には、ステップＳ１５６に戻る。一方、設定された部数分の画像出力を行った場合には、ステップＳ１５８では、磁気記憶装置４における追加画像データ記憶用の領域に電子ソート用の読取画像データを上書きしたことがＮＶＭ７に記憶されているか否かが確認され、上書きを行っている場合には、ステップＳ１５９で磁気記憶装置４におけるゾーン４に記憶されたバックアップデータをバッファーメモリ５に転送し、再度磁気記憶装置４に再転送することにより、磁気記憶装置４における追加画像データ記憶用の領域に追加画像データが記憶される。このように追加画像データが再記憶されると、ステップＳ１６０で追加画像データ記憶用の領域に上書きを行った記憶がクリアされる。
【００５１】
上述したように、本実施形態に係るディスク制御装置によれば、追加画像データのバックアップデータを磁気記憶装置４におけるゾーン４、つまり画像出力装置３に同期させてデータを出力することができない領域に記憶している。一方、電子ソート用の記憶領域や追加画像データ用記憶領域は、画像出力装置３に同期させてデータを出力させる必要があるため、磁気記憶装置４におけるゾーン１〜３までの部分に設けられている。従って、電子ソート用の記憶容量や追加画像データ用記憶容量を減少させることなくバックアップデータを記憶させておくことができる。すなわち、電子ソート時に記憶可能な原稿の枚数（本実施形態の場合はＡ４サイズで１７０枚）を減少させることなく、磁気記憶装置４に記憶された追加画像データが何らかの原因で破壊された場合にも、追加画像データを自動的に復元することができる。
【００５２】
また、電子ソート用の記憶容量と追加画像データ用記憶容量を設定した場合に、電子ソート時の読取画像データの容量が設定された電子ソート用記憶容量を超えたときにも、追加画像データ用記憶領域に読み取り画像データを上書きすることにより、電子ソート出力を行うことができる。そして、電子ソート出力が終わった後には、バックアップデータを用いて追加画像データ記憶領域に追加画像データを復元することができる。従って、合成画像出力を行うために、磁気記憶装置４に追加画像データを記憶させる領域を有していながら、最大の電子ソート出力能力は、磁気記憶装置４に追加画像データを記憶する領域を有しない画像処理装置の電子ソート出力能力と変わらない。すなわち、電子ソート出力能力を維持しながら、磁気記憶装置４に記憶された追加画像データを用いることにより合成画像出力を可能とすることができる。
【００５３】
Ｃ．変形例
なお、上述した実施形態においては、画像入力装置１はスキャナ等の画像読取装置であったが、画像入力装置１は読み取った原稿から入力画像データを生成する画像読取装置に限らず、使用者によりコンピュータ等の入力装置を介して入力された情報に基づいて、画像データを生成するものであってもよい。
【００５４】
また、磁気記憶装置４としては、上述した円筒型のディスク装置に限らず、他にも異なる２つ以上の持続データ転送レートのゾーンを有する構成の記憶装置であって、一方の持続データ転送レートが画像出力装置３に要求されるデータ処理速度より大きく、他方が画像出力装置３に要求されるデータ処理速度より小さければよい。この場合、データ処理速度の小さい領域に追加画像データのバックアップデータを記憶させておけばよい。
【００５５】
【発明の効果】
以上説明したように、本発明によれば、ディスク装置における所定レート以上のデータ転送レートを有する領域を有効に活用し、かつ所定レート以上のデータ転送レートを有する領域に記憶されたデータが破壊された場合にも、破壊されたデータの復元を容易に行うことができる。
【図面の簡単な説明】
【図１】  本発明の一実施形態に係るディスク制御装置を備えるディジタル複写機の構成を示すブロック図である。
【図２】  前記ディジタル複写機の構成要素であるビデオデータ切替装置の構成を示すブロック図である。
【図３】  前記ディジタル複写機の構成要素であるユーザーインターフェースを示す図である。
【図４】  前記ディジタル複写機の構成要素である磁気記憶装置の構成を示す図である。
【図５】  前記磁気記憶装置の概念図である。
【図６】  電子ソート動作における１部目の出力時の、前記ディジタル複写機の動作を説明するための図である。
【図７】  電子ソート動作における１部目の出力時の、前記ユーザーインターフェースを示す図である。
【図８】  電子ソート動作における前記磁気記憶装置の記憶容量を説明するための図である。
【図９】  電子ソート動作における２部目以後の出力時の、前記ディジタル複写機の動作を説明するための図である。
【図１０】  合成画像出力を行うための追加画像データを記憶させている場合の、前記ディジタル複写機の動作を説明するための図である。
【図１１】  合成画像出力時における前記ディジタル複写機の動作を説明するために図である。
【図１２】  電子ソート用の記憶容量および前記追加画像データ用記憶容量を設定したときの、前記ユーザーインターフェースの一例を示す図である。
【図１３】  前記ディジタル複写機における追加画像データのバックアップデータ記憶時の動作、および追加画像データが破壊された場合のリカバリー動作の処理手順を示すフローチャートである。
【図１４】  前記磁気記憶装置に追加画像データのバックアップデータを記憶させる場合の、前記ディジタル複写機の動作を説明するための図である。
【図１５】  電子ソート時における追加画像データのリカバリー動作の処理手順を示すフローチャートである。
【図１６】  電子ソート時における追加画像データのリカバリー動作の処理手順を示すフローチャートである。
【符号の説明】
１…画像入力装置、２…ビデオデータ切替装置、３…画像出力装置、４…磁気記憶装置（ディスク装置）、５…バッファーメモリ、６…ＣＰＵ、７…ＮＶＭ、８…ユーザーインターフェース、２７…合成回路
【図１】
0003740841.tif 000002
【図２】
0003740841.tif 000003
【図３】
0003740841.tif 000004
【図４】
0003740841.tif 000005
【図５】
0003740841.tif 000006
【図６】
0003740841.tif 000007
【図７】
0003740841.tif 000008
【図８】
0003740841.tif 000009
【図９】
0003740841.tif 000010
【図１０】
0003740841.tif 000011
【図１１】
0003740841.tif 000012
【図１２】
0003740841.tif 000013
【図１３】
0003740841.tif 000014
【図１４】
0003740841.tif 000015
【図１５】
0003740841.tif 000016
【図１６】
0003740841.tif 000017